(57)【要約】【課題】靴ラックを提供する。【解決手段】離間かつ対向する２つの靴収容棚と、該２つの靴収容棚の一端に接続された接続板とを含み、内部に一足の靴を収容するための収容空間が区画され、該接続板上に通風口が設けられ、該通風口が該収容空間に連通されることにより、靴ラック内部の通風が維持される。該接続板の両側に側端部がそれぞれ延在し、該２つの側端部と該２つの靴収容棚との間に凹みが設けられることにより、複数の靴ラックは普段では積層収容可能であり、収容体積が減少するようになっている。さらに、該２つの靴収容棚の外側端面に複数の滑り止め凸粒が設けられることにより、靴収容棚上に収容された靴の滑り落ちが防止される。【選択図】図１
0003175934.tif 000002
【実用新案登録請求の範囲】
【請求項１】
離間かつ対向する２つの靴収容棚と、該２つの靴収容棚の一端に接続された接続板とを含み、内部に一足の靴を収容するための収容空間が区画され、該２つの靴収容棚の内側端面が対向し、該接続板上に通風口が設けられ、該通風口が該収容空間に連通され、該接続板の両側に側端部がそれぞれ延在し、該２つの側端部と該２つの靴収容棚との間に凹みが形成され、該２つの靴収容棚の一方の内側端面に一方の靴が収容され、該２つの靴収容棚の他方の外側端面に他方の靴が収容されることを特徴とする靴ラック。
【請求項２】
該２つの靴収容棚が該接続板に対して外方へ傾斜することにより、クリップ形状の断面を有することを特徴とする請求項１に記載の靴ラック。
【請求項３】
各側端部が該接続板に近接した先端に凹部が形成されることにより、各側端部が階段状に形成されることを特徴とする請求項２に記載の靴ラック。
【請求項４】
各靴収容棚の外側端面に複数の滑り止め凸粒が設けられ、各靴収容棚の両側に内部へ突出するストッパーが設けられていることを特徴とする請求項２に記載の靴ラック。
【考案の詳細な説明】
【技術分野】
【０００１】
本考案は、靴ラックに関し、特に靴の保存及び収容のための器具に関するものである。
【背景技術】
【０００２】
台湾実用新案第Ｍ３７２１３２号においては、２つの長柱と、２つの短柱と、隔離片とからなる簡易収容用靴ラックが開示されている。該２つの長柱と該２つの短柱との位置決めにより隔離片を持ち上げることで、該隔離片の下に一方の靴を収容するための収容空間が形成され、該隔離片の上に他方の靴が収容される。靴が滑り落ちないように、該隔離片の底端から上へストッパーが延在している。さらに、該靴ラックは、靴ラックが使用されない場合に使用空間が減少し運送コストが節約されるように、複数層に重ね合わせ可能に構成されている。しかしながら、該靴ラックの隔離片の下の収容空間内に収容された靴の底によって室内の地面は汚れることがある。さらに、この靴ラックは、靴の収容上、ひっくり返して使用することができない（即ち該靴ラックの隔離片を上へ向ける必要がある）ため、利便性が不足している。
【先行技術文献】
【特許文献】
【０００３】
【特許文献１】台湾実用新案登録第 Ｍ３７２１３２号明細書
【考案の概要】
【考案が解決しようとする課題】
【０００４】
そこで、本考案は、収容された靴の底によって室内の床面が汚れることを回避し、使用利便性の向上のためにひっくり返し使用可能であり、さらに、収容体積の減少のために靴ラックが使用されない場合に複数層に重ね合わせ可能に構成される靴ラックを提供することを目的とする。
【課題を解決するための手段】
【０００５】
本考案に係る靴ラックは、２足の靴が収容される。該靴ラックは、離間かつ対向する２つの靴収容棚と、該２つの靴収容棚の一端に接続された接続板とを含み、該靴ラックの内部に一足の靴を収容するための収容空間が区画され、該接続板上に通風口が設けられ、該通風口が該収容空間に連通されることにより、靴ラック内部の通風が維持される。該接続板の両側に側端部がそれぞれ延在し、該２つの側端部と該２つの靴収容棚との間に凹みが設けられることにより、複数の靴ラックは普段では積層収容可能となっている。さらに、該２つの靴収容棚の外側端面に複数の滑り止め凸粒が設けられることにより、靴収容棚上に収容された靴の滑り落ちが防止される。
【考案の効果】
【０００６】
本考案に係る靴ラックによれば、収容された靴の底によって室内の床面が汚れることを回避するととともに靴ラックの通風及び乾燥を維持することが可能であり、使用利便性の向上のためにひっくり返し使用可能であり、収容体積の減少のために複数積層可能である効果を有する。
【図面の簡単な説明】
【０００７】
【図１】本考案に係る靴ラックの立体図を示す。
【図２】図１の靴ラックの断面図を示す。
【図３】図１の靴ラックに２足の靴が収容される実施例を示す図である。
【図４】本考案に係る２つの靴ラックが組み合わせ配列される立体図を示す。
【図５】本考案に係る２つの靴ラックが積層収容される立体図を示す。
【考案を実施するための形態】
【０００８】
以下、本考案の目的、特徴及び効果について図面を参照しながら詳細に説明する。
【０００９】
図１〜図５は、本考案に係る靴ラック１が一体に形成される様子を示す。靴ラック１は、離間かつ対向する２つの靴収容棚１０と、該靴収容棚１０の一端に接続された接続板３１とを含む。２つの靴収容棚１０が接続板３１に対して外方へ傾斜することにより、靴ラック１は、クリップ形状の断面（図２参照）を有し、靴ラック１の内部には一足の靴５０を収容するための収容空間２０が区画されている（図３参照）。該２つの靴収容棚１０の内側端面１０２が対向し、各靴収容棚１０の外側端面１０１に複数の滑り止め凸粒１０３が設けられ、さらに、各靴収容棚１０の両側に内部へ突出するストッパー１０４が設けられている。
【００１０】
接続板３１上に通風口３０が設けられ、通風口３０が収容空間２０に連通することにより、靴ラック１の内部の通風及び乾燥が維持される。この実施例において、接続板３１の両側に側端部３０２がそれぞれ設けられ、側端部３０２により靴ラック１の構造強度が向上し、複数の靴ラック１の間の組み合わせ配列に有利である（図４参照）。さらに、各側端部３０２が接続板３１に近接した先端に凹部３０１が形成されることにより、各側端部３０２は先端が突出の階段状に形成される。さらに、２つの側端部３０２と靴収容棚１０との間に凹み４０が形成されることにより、複数の靴ラック１が使用されない場合に、靴ラック１の接続板３１を他方の靴ラック１の凹み４０に挿入し収容することができ、収容の体積を減少することができる（図５参照）。
【００１１】
使用上には、一方の靴収容棚１０を例えば室内床面の支持体に置くことにより、他方の靴収容棚１０が接続板３１によって持ち上げられる（２つの靴収容棚１０の上下位置を逆さまに使用可能）。図３に示すように、ユーザは、その一方の靴５０を収容空間２０に入れ下側の靴収容棚１０の内側端面１０２に位置させるため、靴底の汚れによって室内の床面が汚れることはない。さらに、他方の靴５０を上側の靴収容棚１０の外側端面１０１に位置させるため、、本考案に係る靴ラック１には２足の靴５０を容易に収容することができる。さらに、靴収容棚１０の外側端面１０１の滑り止め凸粒１０３により、上側の靴収容棚１０上に収容された靴５０の滑り落ちを防止することができ、靴収容棚１０のストッパー１０４により、下側の靴収容棚１０上の靴５０を収容空間２０に位置決めすることができるため、靴底の汚れによって室内の床面が汚れることはない。
【００１２】
上記のように、これらの実施の形態は本考案の好ましい実施例のみであり、本考案の登録請求の範囲に基づいてなされる等価の変更や修飾は、本考案の技術範囲に入るものである。
【００１３】
以上のように、本考案では、離間かつ対向する２つの靴収容棚と、該２つの靴収容棚の一端に接続された接続板とを含み、内部に一足の靴を収容するための収容空間が区画され、該２つの靴収容棚の内側端面が対向し、該接続板上に通風口が設けられ、該通風口が該収容空間に連通され、該接続板の両側に側端部がそれぞれ延在し、該２つの側端部と該２つの靴収容棚との間に凹みが形成され、該２つの靴収容棚の一方の内側端面に一方の靴が収容され、該２つの靴収容棚の他方の外側端面に他方の靴が収容されることを特徴とする靴ラックとするものである。
【００１４】
また、該２つの靴収容棚が該接続板に対して外方へ傾斜することにより、クリップ形状の断面を有するものとする。
【００１５】
また、各側端部が該接続板に近接した先端に凹部が形成されることにより、各側端部が階段状に形成されるものとする。
【００１６】
また、各靴収容棚の外側端面に複数の滑り止め凸粒が設けられ、各靴収容棚の両側に内部へ突出するストッパーが設けられているものとする。
【産業上の利用可能性】
【００１７】
本考案に係る靴ラックによれば、収容された靴の底によって室内の床面が汚れることを回避するととともに靴ラックの通風及び乾燥を維持することが可能であり、、使用利便性の向上のためにひっくり返し使用可能であり、収容体積の減少のために複数積層可能である効果を有する。
【符号の説明】
【００１８】
１  靴ラック
１０  靴収容棚
１０１  外側端面
１０２  内側端面
１０３  凸粒
１０４  ストッパー
２０  収容空間
３０  通風口
３０１  凹部
３０２  側端部
３１  接続板
４０  凹み
５０  靴
【図１】
0003175934.tif 000003
【図２】
0003175934.tif 000004
【図３】
0003175934.tif 000005
【図４】
0003175934.tif 000006
【図５】
0003175934.tif 000007